(57)【要約】  高さが異なる複数の物品を位置決めすると共に落下を防止し、かつ背の高い物品が背が低い物品の落下防止を妨げないようにする。支持装置（４）は、第１の物品（５２）の上方に位置し、第１の物品（５２）が上昇して位置決めが解除されることを防止する第１の落下防止部材（４４）と、第２の物品（６４）の上方に位置し、第２の物品（６４）が上昇して位置決めが解除されることを防止する第２の落下防止部材（４６）とを備える。第１及び第２の落下防止部材（４４，４６）の側の第１の物品（５２）の端部を、第２の物品（６４）の端部と同じか、あるいは第２の物品（６４）の端部よりも、第１及び第２の落下防止部材（４４，４６）に近い側に位置決めする。第１の位置決め部材（１２，１６）が第１の物品（５２）を位置決めしている際に、第２の落下防止部材（４６）は第１の物品（５２）の前記端部から退避する。
2016152276.tif 000002
【特許請求の範囲】
【請求項１】
第１の物品と、第１の物品よりも高さが低い第２の物品、とを支持する支持装置であって、  第１の物品の底部を位置決めし、第１の物品の水平移動を禁止する第１の位置決め部材と、第２の物品の底部を位置決めし、第２の物品の水平移動を禁止する第２の位置決め部材、とを有する支持部を備え、  第１の位置決め部材と第２の位置決め部材は共に、第１の物品あるいは第２の物品が支持部上へ下降することにより位置決めし、上昇すると位置決めが解除されるように構成され、  支持装置はさらに、  前記第１の位置決め部材が第１の物品を位置決めしている際に、第１の物品の上方に位置し、第１の物品が上昇して位置決めが解除されることを防止する第１の落下防止部材と、  前記第２の位置決め部材が第２の物品を位置決めしている際に、第２の物品の上方に位置し、第２の物品が上昇して位置決めが解除されることを防止する第２の落下防止部材、とを備え、  前記第１の位置決め部材は、前記第２の位置決め部材よりも、高い位置にあり、  前記第１の落下防止部材及び前記第２の落下防止部材は、平面視で前記支持部に対して同じ側にあり、    前記第１の落下防止部材及び前記第２の落下防止部材の側の、第１の物品の端部を、第２の物品の端部と同じか、あるいは第２の物品の端部よりも、前記第１の落下防止部材及び前記第２の落下防止部材に近い側に位置決めするように、前記第１の位置決め部材と前記第２の位置決め部材とが構成され、  前記第１の位置決め部材が第１の物品を位置決めしている際に、前記第２の落下防止部材は第１の物品の前記端部から退避するように構成されている物品の支持装置。
【請求項２】
第２の落下防止部材は、第２の物品の上方と、第１の物品の端部から退避する位置との間で、出退自在で、かつ第１の物品に押されて退避するように構成され、  さらに第２の落下防止部材を第２の物品の上方へ進出するように付勢する付勢部材を備えていることを特徴とする、請求項１の物品の支持装置。
【請求項３】
前記支持部を、物品を移載相手との間で受け渡しする進出位置と、原点位置との間で出退させる移動部を備え、  第１の落下防止部材と第２の落下防止部材は共に移動部に設けられることにより、    進出位置では共に物品の上部から離隔し、    原点位置では、第１の落下防止部材は第１及び第２の物品の上部へ進出し、第２の落下防止部材は第２の物品の上部へ進出するように構成されていることを特徴とする、請求項２の物品の支持装置。  
【請求項４】
第１の落下防止部材が上、第２の落下防止部材が下となるように、第１の落下防止部材と第２の落下防止部材は共通の支柱に取り付けられ、  さらに第２の落下防止部材は鉛直軸回りに回動自在に前記支柱に取り付けられていることを特徴とする、請求項１〜３のいずれかの物品の支持装置。
【請求項５】
第２の落下防止部材は、第１の物品の端部と接触するローラを備えていることを特徴とする、請求項４の物品の支持装置。
【請求項６】
第２の落下防止部材が第２の物品の上部で停止するように、回動範囲を制限するストッパをさらに備えていることを特徴とする、請求項５の物品の支持装置。
【請求項７】
第１の物品と、第１の物品よりも高さが低い第２の物品、とを支持装置により支持する方法であって、  支持部の第１の位置決め部材により、第１の物品の底部を位置決めし、第１の物品の水平移動を禁止すると共に、第１の物品が上昇すると位置決めを解除し、  支持部の第２の位置決め部材により、第２の物品の底部を位置決めし、第２の物品の水平移動を禁止すると共に、第２の物品が上昇すると位置決めを解除し、  前記第１の位置決め部材が第１の物品を位置決めしている際に、第１の落下防止部材を第１の物品の上方に位置させ、第１の物品が上昇して位置決めが解除されることを防止し、  前記第２の位置決め部材が第２の物品を位置決めしている際に、第２の落下防止部材を第２の物品の上方に位置させ、第２の物品が上昇して位置決めが解除されることを防止し、  前記第１の位置決め部材は、前記第２の位置決め部材よりも、高い位置にあり、  前記第１の落下防止部材及び前記第２の落下防止部材は、平面視で前記支持部に対して同じ側にあり、  前記第１の位置決め部材及び前記第２の位置決め部材は、前記第１の落下防止部材及び前記第２の落下防止部材の側の、第１の物品の端部を、第２の物品の端部と同じか、あるいは第２の物品の端部よりも、前記第１の落下防止部材及び前記第２の落下防止部材に近い側に位置決めし、  前記第１の位置決め部材が第１の物品を位置決めしている際に、前記第２の落下防止部材を第１の物品の前記端部から退避させる、物品の支持方法。
【発明の詳細な説明】
【技術分野】
【０００１】  この発明は物品の支持装置及び支持方法に関する。
【背景技術】
【０００２】  特許文献１（JP4543567B）は、落下防止部材を備えるスカラアームを開示している。落下防止部材はスカラアームのアームに取り付けられ、移載対象のFOUPの上部に進出してその落下を防止する。ところで300mmウェハー用のFOUPと450mmウェハー用のFOUPのように、背の高さが異なる２種類の物品を支持装置で支持することが要求されている。しかしながら、JP4543567Bのスカラアームでは、２種類の物品を共に支持し、かつ共に落下を防止することは難しい。
【先行技術文献】
【特許文献】
【０００３】
【特許文献１】JP4543567B
【発明の概要】
【発明が解決しようとする課題】
【０００４】  この発明の課題は、高さが異なる複数の物品を位置決めすると共に落下と転倒を防止し、かつ背の高い物品が背が低い物品の落下防止を妨げないようにすることにある。
【課題を解決するための手段】
【０００５】  この発明の物品の支持装置は、第１の物品と、第１の物品よりも高さが低い第２の物品、とを支持し、  第１の物品の底部を位置決めし、第１の物品の水平移動を禁止する第１の位置決め部材と、  第２の物品の底部を位置決めし、第２の物品の水平移動を禁止する第２の位置決め部材、とを有する支持部を備え、  第１の位置決め部材と第２の位置決め部材は共に、第１の物品あるいは第２の物品が支持部上へ下降することにより位置決めし、上昇すると位置決めが解除されるように構成され、  支持装置はさらに、  前記第１の位置決め部材が第１の物品を位置決めしている際に、第１の物品の上方に位置し、第１の物品が上昇して位置決めが解除されることを防止する第１の落下防止部材と、  前記第２の位置決め部材が第２の物品を位置決めしている際に、第２の物品の上方に位置し、第２の物品が上昇して位置決めが解除されることを防止する第２の落下防止部材、とを備え、  前記第１の位置決め部材は、前記第２の位置決め部材よりも、高い位置にあり、  前記第１の落下防止部材及び前記第２の落下防止部材は、平面視で前記支持部に対して同じ側にあり、    前記第１の落下防止部材及び前記第２の落下防止部材の側の、第１の物品の端部を、第２の物品の端部と同じか、あるいは第２の物品の端部よりも、前記第１の落下防止部材及び前記第２の落下防止部材に近い側に位置決めするように、前記第１の位置決め部材と前記第２の位置決め部材とが構成され、  前記第１の位置決め部材が第１の物品を位置決めしている際に、前記第２の落下防止部材は第１の物品の前記端部から退避するように構成されている。【０００６】  この発明の物品の支持方法は、第１の物品と、第１の物品よりも高さが低い第２の物品、とを支持装置により支持し、  支持部の第１の位置決め部材により、第１の物品の底部を位置決めし、第１の物品の水平移動を禁止すると共に、第１の物品が上昇すると位置決めを解除し、  支持部の第２の位置決め部材により、第２の物品の底部を位置決めし、第２の物品の水平移動を禁止すると共に、第２の物品が上昇すると位置決めを解除し、  前記第１の位置決め部材が第１の物品を位置決めしている際に、第１の落下防止部材を第１の物品の上方に位置させ、第１の物品が上昇して位置決めが解除されることを防止し、  前記第２の位置決め部材が第２の物品を位置決めしている際に、第２の落下防止部材を第２の物品の上方に位置させ、第２の物品が上昇して位置決めが解除されることを防止し、  前記第１の位置決め部材は、前記第２の位置決め部材よりも、高い位置にあり、  前記第１の落下防止部材及び前記第２の落下防止部材は、平面視で前記支持部に対して同じ側にあり、  前記第１の位置決め部材及び前記第２の位置決め部材は、前記第１の落下防止部材及び前記第２の落下防止部材の側の、第１の物品の端部を、第２の物品の端部と同じか、あるいは第２の物品の端部よりも、前記第１の落下防止部材及び前記第２の落下防止部材に近い側に位置決めし、  前記第１の位置決め部材が第１の物品を位置決めしている際に、前記第２の落下防止部材を第１の物品の前記端部から退避させる。なおこれらのステップは例えば並行に行われる。またこの明細書で、支持装置に関する記載はそのまま支持方法にも当てはまる。【０００７】  実施例では、第１及び第２の位置決め部材は、第１及び第２の物品の底部を位置決めすると共に支持するが、別途の支持部材により第１及び第２の物品の底部を支持しても良い。平面視で前記支持部に対して、第１の落下防止部材と第２の落下防止部材は同じ側にある。そして第１及び第２の落下防止部材側の第１の物品の端部は、第２の物品の端部と同じか、第１及び第２の落下防止部材により近い側に位置決めされる。【０００８】  第１の物品と第２の物品は支持部から上昇すると位置決めが解除されるので、落下、転倒などの恐れがある。そこで第１の落下防止部材と第２の落下防止部材とを、これらの物品の上部に位置させ、物品が上昇して位置決めが解除されることを防止する。ここで、第１の物品の端部は、第２の物品の端部と同じか、第１及び第２の落下防止部材により近い側に位置決めされるので、第２の落下防止部材は背が高い第１の物品と干渉する。このため第１の位置決め部材が第１の物品を位置決めしている際に、前記第２の落下防止部材を第１の物品の前記端部から退避させる。    【０００９】  この発明では、高さが異なる２種類の物品を位置決めすると共に、第１の物品の落下あるいは転倒を第１の落下防止部材により防止し、第２の物品の落下あるいは転倒を第２の落下防止部材により防止する。そして第２の落下防止部材を退避させて、第１の物品が第２の落下防止部材の設置を妨げないようにする。この発明では物品の落下と転倒を防止するが、以下では、転倒を省略して落下を防止するということがある。【００１０】  好ましくは、第２の落下防止部材は、第２の物品の上方と、第１の物品の端部から退避する位置との間で、出退自在で、かつ第１の物品に押されて退避するように構成され、さらに第２の落下防止部材を第２の物品の上方へ進出するように付勢する付勢部材を備えている。このようにすると、第２の落下防止部材は、駆動機構無しで第２の物品の上方へ進出し、かつ第１の物品に押されて退避する。従って駆動機構のスペースが不要で、また駆動機構をメンテナンスする必要もない。【００１１】  より好ましくは、前記支持部を、物品を移載相手との間で受け渡しする進出位置と、原点位置との間で出退させる移動部を備え、第１の落下防止部材と第２の落下防止部材は共に移動部に設けられることにより、進出位置では共に物品の上部から離隔し、原点位置では、第１の落下防止部材は第１及び第２の物品の上部へ進出し、第２の落下防止部材は第２の物品の上部へ進出するように構成されている。このようにすると、支持装置は物品の移載装置に組み込まれ、移動部の運動によって第１の落下防止部材と第２の落下防止部材とを、物品の上方と物品から離隔した位置との間で移動させることができる。なお第２の落下防止部材は、移動部の運動に加えて、付勢部材による付勢と第１の物品に押されることとにより、出退する。【００１２】  好ましくは、第１の落下防止部材が上、第２の落下防止部材が下となるように、第１の落下防止部材と第２の落下防止部材は共通の支柱に取り付けられ、さらに第２の落下防止部材は鉛直軸回りに回動自在に前記支柱に取り付けられている。鉛直軸回りに第２の��下防止部材を回動させると、例えば水平に出退させる場合に比べ、小さなスペースの機構で簡単に進退させることができる。【００１３】  より好ましくは、第２の落下防止部材は、第１の物品の端部と接触するローラを備えている。このようにすると、第２の落下防止部材を第１の物品と穏やかに接触させることができ、例えば接触時の発塵を少なくできる。【００１４】  特に好ましくは、第２の落下防止部材が第２の物品の上部で停止するように、回動範囲を制限するストッパをさらに備えている。このようにすると、第２の落下防止部材を付勢部材で付勢して、ストッパで位置決めできるので、確実に第２の物品の上部へ進出させることができる。
【図面の簡単な説明】
【００１５】
【図１】実施例の支持装置を備えたスカラアームが、第１の物品（450mmウェハー用のFOUP）を支持している状態を示す平面図
【図２】スカラアームが第１の物品を支持している状態を示す側面図
【図３】位置決め突起による第１の物品の位置決めを示す、図２の要部拡大側面図
【図４】スカラアームが、第２の物品（300mmウェハー用のFOUP）を支持している状態を示す平面図
【図５】スカラアームが第２の物品を支持している状態を示す側面図
【図６】落下防止機構を示す、図５の要部拡大側面図
【図７】棚受の平面図で、第１の物品を載置している状態を示す
【図８】棚受の平面図で、第２の物品を載置している状態を示す
【図９】参考例の落下防止機構の側面図
【発明を実施するための形態】
【００１６】  以下に本発明を実施するための最適実施例を示す。この発明の範囲は、特許請求の範囲の記載に基づき、明細書の記載とこの分野での周知技術とを参酌し、当業者の理解に従って定められるべきである。
【実施例】
【００１７】  図１〜図６に、実施例のスカラアーム４を示す。スカラアーム４は、ハンド２（支持部）により物品を位置決めすると共に支持し、棚受８０，８１等の移載相手との間で、アーム３２，３４の進退動作等により物品を移載（受け渡し）する。なお図７，図８は、スカラアーム４が物品を移載する棚受８０，８１を示す。【００１８】  物品は、450mmウェハー用のFOUP５２（第１の物品）と、300mmウェハー用のFOUP６４（第２の物品）の２種類であるが、物品の種類自体は任意である。第２の物品は、第１の物品よりもサイズが小さく、特に高さが第１の物品よりも低いものとする。各図において、鎖線はFOUP５２，６４を示し、FOUP５２，６４のサイドフランジのように、本発明とは関係がない部分は省略して示す。図１，図４，図７，図８では、ハンド２及び棚受８０，８１による位置決めを示すため、FOUP５２，６４の底部の構造を示す。【００１９】  図１，図２は、450mmウェハー用のFOUP５２を支持した状態での、スカラアーム４を示す。ハンド２はプレート６を備え、プレートの前後方向での先端と基部とに厚肉部８，９があり、中間に薄肉部１０がある。基部の厚肉部９には軸４０があり、軸４０はハンド２を回動させる。この明細書では、ハンド２の軸４０側を基端、その反対側の厚肉部８側を先端とし、先端と基端とを結ぶ方向を前後方向という。また前後方向に対し、水平面内で直角な方向を左右方向という。【００２０】  プレート６の左右方向の幅は、FOUP５２，６４の左右方向の幅よりも狭く、FOUP５２，６４を棚受８０，８１が支持できるようにしてある。先端側の厚肉部８の左右方向中央部に位置決めガイド１２があり、基端側の厚肉部９には左右例えば一対の位置決めガイド１６，１６がある。位置決めガイド１２，１６は、左右方向の長さが異なるが、基本的構造は同じで、薄肉部１０側が低くなるように傾斜したテーパー面１３，１７と、テーパー面１３，１７の下端から薄肉部１０側へ延びる水平な支持面１４，１８とを備えている。またテーパー面１３，１７と支持面１４，１８との境界上で、かつ位置決めガイド１２，１６の左右方向外側の端部の点１９は、FOUP５２の回り止めとなる。【００２１】  厚肉部８の左右方向中央部で薄肉部１０寄りに、例えば平面視で長方形状の位置決め突起２０があり、位置決め突起２０の左右方向の端部には、Ｒ部が設けられている。薄肉部１０には、例えば３個のキネマチックカップリングピン２２（以下ピン２２という）が設けられ、ピン２２の高さは支持面１４，１８の高さよりも低くしてある。薄肉部１０の上面を、厚肉部８の上面よりもＤだけ低い位置に配置し、このため、厚肉部８，９と薄肉部１０との間には、肉厚差Ｄが有る。そして薄肉部１０の上面が厚肉部８の上面よりも低い位置にあるため、位置決めガイド１２，１６の高さを小さくできる。【００２２】  スカラアーム４は、ベース３０に設けた軸３６を中心に回動するアーム３２と、アーム３２の先端側の軸３８を中心に回動するアーム３４とを備え、アーム３４の先端側に前記の軸４０を備えている。スカラアーム４は昇降と水平往復運動とが自在な移動体に搭載され、この移動体はFOUP５２，６４を一時保管するストッカ等に設置されて、棚に沿って往復運動し、アーム４２��よりスカラアーム４を支持して昇降させる。そしてスカラアーム４の伸縮とベース３０の昇降とを組み合わせて、棚受８０，８１との間でFOUP５２，６４を移載する。【００２３】  ４４は第１の落下防止部材、４６は第２の落下防止部材である。落下防止部材４４，４６は、アーム３４から鉛直上向きに直立する支柱４８に取り付けられ、高さは固定で、落下防止部材４４は支柱４８の上端付近に、落下防止部材４６はその下部に取り付けられている。第２の落下防止部材４６は支柱４８への取り付け軸を中心に水平面内で回動自在で、先端には鉛直軸回りに回動するローラ５０が取り付けられている。第１の落下防止部材４４は450mmウェハー用のFOUP５２の落下を防止し、第２の落下防止部材４６は300mmウェハー用のFOUP６４の落下を防止する。落下防止部材４４はFOUP５２のドア部５８の上端を規制し、落下防止部材４６はFOUP６４のドア部６８の上端を規制する。さらに落下防止部材４６は、FOUP５２に対して、ローラ５０がドア部５８の端面５９に押されることにより後退する。落下防止部材４４，４６等から成る落下防止機構の構造は、図６を参照して後で詳細に説明する。なお６９はFOUP６４のドア部６８の端面で、端面５９は端面６９よりも支柱４８に近い側にある。【００２４】  図１，図２に示すように、450mmウェハー用のFOUP５２は底部の４周に沿ってコンベヤ面５４が設けられ、側面の下部でコンベヤ面５４と交わる面はコンベヤガイド面５５とされ、コンベヤ面５４とコンベヤガイド面５５は特定の位置にある平滑な面である。またFOUP５２の底部には、キネマチックカップリング用に３個のＶ溝（断面が逆Ｖ字状の溝）が設けられ、ドア部５８側のＶ溝をＶ溝５６といい、反対側のＶ溝をＶ溝５７という。ハンド２は、前後のコンベヤガイド面５５と置決めガイド１２，１６とにより、前後方向の位置を位置決めし、コンベヤ面５４を支持面１２４，１８で支持する。またドア部５８と反対側のＶ溝５７を、位置決め突起２０で位置決めすることにより、左右方向の位置決めを行う。位置決め突起２０のみでは、FOUP５２の鉛直軸回りの向きが変化する可能性があるので、FOUP５２の回転を回り止め１９により禁止する。【００２５】  450mmウェハー用のFOUP５２の支持を、図１〜図３に示す。図３に示すように、コンベヤガイド面５５を位置決めガイド１２のテーパー面１３によりガイドし、コンベヤ面５４を支持面１４により支持する。位置決めガイド１６でも同様に、コンベヤガイド面５５をテーパー面１７によりガイドし、コンベヤ面５４を支持面１８により支持する。これによってFOUP５２は前後方向に位置決めされ、鉛直軸回りの回転は回り止め１９により防止される。このようにしてFOUP５２は水平面内で位置決めされるので、残る運動の自由度は上下運動のみとなる。スカラアーム４の動作、あるいはスカラアーム４を搭載した移動体の動作により、FOUP５２に大きな加速度が加わると、FOUP５２が落下あるいは転倒する可能性がある。そこで第１の落下防止部材４４により、FOUP５２の高さを規制し、落下及び転倒を防止する。【００２６】  300mmウェハー用のFOUP６４の支持を、図４，図５に示す。薄肉部１０の前後方向の長さは、FOUP６４の奥行きよりも長く、薄肉部１０上にFOUP６４を支持する。コンベヤ面６５を位置決めには用いず、キネマチックカップリング用の３個のＶ溝６６に、３本のピン２２をキネマチックカップリングさせて、FOUP６４の本来の仕様に従って位置決めする。これが可能なのは、FOUP６４はFOUP５２よりも小さいため、Ｖ溝６６の位置にピン２２を配置できるためである。またピン２２は薄肉部１０上にあるため、FOUP５２の底部とは接触しない。さらに位置決め突起２０は、FOUP６４の底面から外れた位置にある。ピン２２によりFOUP６４は水平面内で位置決めされるので、第２の落下防止部材４６によりFOUP６４の高さを規制し、落下及び転倒を防止する。  【００２７】  図６に示すように、支柱４８はアーム３４に設けられ、アーム３２，３４が図１、図４の状態から伸張しているときには、落下防止部材４４，４６はFOUP５２，６４の上部から離れている。このため、落下防止部材４４，４６はFOUP５２，６４と干渉しない。アーム３２，３４が図１、図４のように原点位置へ復帰すると、移動体は走行が可能となる。そしてアーム３４が原点位置へ復帰すると、落下防止部材４４，４６はFOUP５２，６４の上部へ進出しようとし、落下防止部材４４がドア部５８の上部へ進出することにより、FOUP５２の落下及び転倒を防止する。なお６０は弾性片で、落下防止部材４４，４６の底部に設けられ、FOUP５２，６４が接触した際の衝撃を吸収する。弾性片６０は設けなくても良い。【００２８】  落下防止部材４６は鉛直な軸７０回りに回動自在に支持され、かつFOUP５２，６４の上部へ進出する向きへ付勢部材により付勢されている。７１，７２はブラケット、７３は軸受、７４はトーションバネで付勢部材の例である。落下防止部材４６の先端の底部に前記の弾性片６０が設けられているが、設けなくても良い。また落下防止部材４６の向きをストッパ７６により規制し、FOUP５２のドア部６８の上部へ進出するようにしてある。ローラ５０は、鉛直な軸７７回りに回動自在に、軸受７８により支持されている。そしてFOUP５２に対しては、ローラ５０がドア部の正面で押されることにより後退し、FOUP６４に対しては図６のように落下防止部材４６がドア部６８の上部に進出して、落下及び転倒を防止する。【００２９】  実施例では、落下防止部材４６をFOUP５２，６４の種類に応じて進退させるために、付勢部材とストッパ７６とを用いたが、これらに代えてソレノイド、あるいはモータ等の駆動部材により、落下防止部材４６を進退させても良い。ただしこのようにすると、落下防止機構が大型化し、またメンテナンスが必要な箇所が増加する。  【００３０】  図７は、棚受８０，８１による450mmウェハー用のFOUP５２の支持を示す。棚受８０，８１は各々、前後方向の位置決めガイド８２，左右方向の位置決めガイド８６，及び前後左右兼用の位置決めガイド９０を備え、FOUP５２を前後左右に位置決めする。８３，９１は前後方向に傾斜するテーパー面で、８７，９２は左右方向に傾斜するテーパー面で、これらはコンベヤガイド面５５をガイドする。８４，８８，９３は水平な支持面で、これらはコンベヤ面５４を支持する。【００３１】  図８は、棚受８０，８１による300mmウェハー用のFOUP６４の支持を示す。位置決めピン９４は、FOUP６４のフォークリフトピン用の孔と係合して位置決めする。なお位置決めピン９４は、450mmウェハー用のFOUP５２でのＶ溝５６に収まり、FOUP５２とは接触しない。【００３２】  図９は、参考例の落下防止機構１００を示し、FOUP５２，６４に対して共用である。適宜のセンサによりFOUP５２，６４の種類を判別し、あるいは上位のコントローラからFOUP５２，６４の種類を通知される。そしてアーム３４に設けられた鉛直の支柱１０２に沿って、ボールネジ１０４とモータ１０６から成る直動機構により、FOUP５２，６４の種類に従って落下防止部材４４を昇降させる。この参考例を実施例と比較すると、直動機構のためにスペースが必要で、直動機構のために発塵の可能性があり、かつメンテナンスの対象箇所が増加する。【００３３】  実施例ではスカラアームを用いたが、位置決めガイド１２，１６，位置決め突起２０，ピン２２等をスライドフォークのトッププレートに設け、支柱４８と落下防止部材４４，４６をミドルプレートに設けても良い。
【符号の説明】
【００３４】２  ハンド（支持部）    ４  スカラアーム（物品の支持装置）６  プレート    ８，９  厚肉部    １０  薄肉部１２，１６  位置決めガイド（第１の位置決め部材）１３，１７  テーパー面    １４，１８  支持面    １９  回り止め２０  位置決め突起（第１の位置決め部材）２２  キネマチックカップリングピン（第２の位置決め部材）３０  ベース    ３２，３４  アーム    ３６〜４０  軸    ４２  アーム４４  第１の落下防止部材    ４６  第２の落下防止部材    ４８  支柱５０  ローラ    ５２  450mmウェハー用のFOUP（第１の物品）５４  コンベヤ面    ５５  コンベヤガイド面    ５６  Ｖ溝５８  ドア部    ５９，６９  端面６４  300mmウェハー用のFOUP（第２の物品）    ６５  コンベヤ面６６  Ｖ溝    ６８  ドア部    ７０  軸    ７１，７２  ブラケット７３，７８  軸受    ７４  トーションバネ（付勢部材）  ７５  弾性片７６  ストッパ    ７７  軸    ８０，８１  棚受８２，８６，９０  位置決めガイド    ８３，８７，９１，９２  テーパー面    ８４，８８，９３  支持面９４  位置決めピン    １００  落下防止機構    １０２  支柱１０４  ボールネジ    １０６  モータＤ  肉厚差
【図１】
2016152276.tif 000003
【図２】
2016152276.tif 000004
【図３】
2016152276.tif 000005
【図４】
2016152276.tif 000006
【図５】
2016152276.tif 000007
【図６】
2016152276.tif 000008
【図７】
2016152276.tif 000009
【図８】
2016152276.tif 000010
【図９】
2016152276.tif 000011
【国際調査報告】
2016152276.tif 000012
2016152276.tif 000013
2016152276.tif 000014
2016152276.tif 000015